(57)【要約】      （修正有）【課題】球技の球や遊技銃の弾丸の飛散を防止することが可能な的である捕捉器を提供する。【解決手段】球体衝突面の前方に、複数の線状体を飛来する球体８Ａの直径未満の間隔で張り渡した球体通過面２を配置し、飛来する球体８Ａが通過する際、球体８Ａの運動エネルギーを減少させる。【選択図】図２５
2011015956.tif 000002
【特許請求の範囲】
【請求項１】
球技又は遊戯で投打又は発射された球体の的である捕捉器において、前記球体の飛来方向を前記捕捉器の前方として、前記捕捉器前方側に前記球体の直径未満の間隔にて並列して張り渡された複数本の線状体により構成された球体通過面を有するとともに、前記球体通過面の後方側に球体衝突面を有しており、前記球体衝突面に向かって放たれた前記球体が、前記球体通過面に衝突することにより、前記線状体を撓らせながら、前記間隔を押し広げて前記球体通過面を通過し、前記球体衝突面に衝突し、前記球体通過面の前記球体が通過した部位の前記間隔が元に戻ることにより、前記球体が前記球体通過面の前方部に脱出することを阻止して前記球体を前記球体衝突面と前記球体通過面との間に捕捉することを特徴とした捕捉器。
【請求項２】
前記球体衝突面に、緩衝部材から成る衝撃緩衝部を備えたことを特徴とする請求項１記載の捕捉器。
【請求項３】
前記球体通過面と球体衝突面を当接又は前記球体の直径未満の距離内に近接した位置に設置し、前記球体通過面を通過した前記球体を、前記球体衝突面と前記球体通過面との間に挟み捕捉することを特徴とする請求項１又は２に記載の捕捉器。
【請求項４】
前記球体通過面を複数層重畳的に設けたことを特徴とする請求項１乃至３に記載の捕捉器。
【請求項５】
複数層設けられた前記球体通過面は、各々の線状体の材質又は／及び太さ又は／及び張力の何れか又は全てを違いにしている事を特徴とする請求項４に記載の捕捉器。
【請求項６】
複数層設けられた前記球体通過面が、前記球体通過面に対して略直角方向の線状体により、互いに連結されたことを特徴とする請求項４又は５に記載の捕捉器。
【請求項７】
前記球体通過面と前記球体衝突面を配置する間隔を変更する調節機構を設けたことを特徴とする請求項１乃至５に記載の捕捉器。
【請求項８】
少なくとも一面に開口部を有する容器の開口部に前記球体通過面を設け、容器内に前記球体衝突面を設けたことを特徴とする請求項１乃至７に記載の捕捉器。
【請求項９】
遊戯銃から発射された球形弾丸を捕捉することを目的とした請求項１乃至８に記載の捕捉器。
【請求項１０】
投打された球技用のボールを捕捉することを目的とした請求項１乃至８に記載の捕捉器。
【発明の詳細な説明】
【技術分野】
【０００１】
本発明は、球体捕捉器に関し、ことに球体を捕捉することによる遊戯銃の弾丸及び、球技や遊戯に使用するボールの的とした遊具に関するものである。
【背景技術】
【０００２】
上記捕捉する球体である遊戯銃の弾丸とは、合成樹脂素材で作られた一般に「ＢＢ弾」と称する球形の弾丸などが想定される。また上記ボールとは、例えば一般に流通している野球、ソフト、テニス、卓球、ゴルフのボールなどや玩具であるカラーボールや模倣球技用ボールなどを想定する。
【０００３】
従来からある上記遊戯銃の球形弾丸を受ける的には、特許文献１の特開平２００６−３３６９８６号公報のような、発砲スチロール樹脂製の箱状の容器の内部にウレタンフォームの緩衝材を配し、飛弾を受ける面をウレタンフォームに短冊状の切込みを入れスクリーン状にして、その前面の紙製印刷物を吊るし、打ち抜くことで命中位置の確認と飛散防止をするものや、特許文献２の実用新案登録第３１３２９０５号公報のように、箱状に形成された箱の内部に垂幕状に緩衝面を配し、前面に弾丸が貫通する材質の標的面を配して、標的面を打ち抜くことで命中位置の確認ができ、飛散を防止する標的箱などのようなものが提案されている。
【０００４】
また、特許文献３の実開平６−３０６９６号公報は、背面に衝撃吸収材の層を持ち、表面に粘着材の層を配しこの層に飛来した弾丸が貼り付く事で、命中位置の確認と飛散を防止するものなども考案されている。
【０００５】
ところで、遊戯銃に使用する弾丸である「ＢＢ弾」と呼ばれるものは、塩化ビニル等の通常「プラスチック」と呼ばれる素材で作られた球形の弾丸で、６ｍｍ〜８ｍｍ程度の直径を有し、重さが０．１２〜０．４３グラムのものが生産されている。
【０００６】
遊戯銃の特に１８歳以上向けの遊戯銃の電動ガンなどは、運動エネルギー値は改正銃刀法により０．９８９Ｊ（ジュール）以下に基準が定められてはいるが、大きさ直径６ｍｍ、重さ０．２ｇの標準的なＢＢ弾を発射した場合、飛弾の初速は約９９メートル毎秒のスピードとなる事から、その威力は大きく破壊力も大きい。この様な飛弾を受け止め命中位置の確認ができる従来からある的は、頻繁に消耗品を出すものが多い。また遊戯銃の中には電動のガン等にフルオート機能という連射機能を備え、毎秒約１５発程度のＢＢ弾を連射できる物がある。更に数百個のＢＢ弾を供給できるマガジンという装置を装着して使用する事ができる。この様な遊戯銃から大量に放たれたＢＢ弾の飛散を防止して捕捉する的は従来からある頻繁に消耗品を出すものでは不向きといえる。
【０００７】
例えば、特許文献２特開平２００６−３３６９８６号公報や、特許文献３実用新案登録第３１３２９０５号公報などの的は、箱状の的体の前方に、紙面に黒点を中心に同心円を描いた物を標的として設置するものである。その紙面を打ち抜き弾痕を付ける事で命中位置の確認をするものであるが、このように紙面を撃ち抜く的では数十発のＢＢ弾に撃ち抜かれる事で、紙面は大きく破損する。また弾痕が増えるにつれ命中位置の確認もし難いため頻繁に紙面の交換が必要となる。
【０００８】
特許文献３の実開平６−３０６９６号公報の的は、遊戯銃から放たれたＢＢ弾を受ける面が、粘着物質で出来た面となっており、この粘着面にＢＢ弾が衝突して貼り付く事で命中位置の確認が出来るものである。この様な的は、粘着面に異物、埃などが貼り付く事により粘着能力の低下、劣化なども考えられる。また、弾速９９ｍ毎秒の強いエネルギーを持った弾丸の衝撃や、連射による、数百発もの弾丸を受け止めるだけの粘着力が持続することは通常流通している粘着テープ等の粘着力から判断しても、その機能の継続や耐久性が優れているとはいえない。
【０００９】
また、空き缶や小物等をターゲットとして置き、撃つ事がある。ターゲットに当たったり、はずれたりしたＢＢ弾は方々に飛散することになる。屋内においては、ＢＢ弾のような小さい球体が散乱すると、片付けるのは大変面倒な事となる。屋外の場合、散乱したＢＢ弾の回収はかなり困難といえるため、放置せざるを得ないが、いくら小さな物体でも、プラスチック樹脂のＢＢ弾を放置することは環境面においても良いとはいえない。
【００１０】
そして、紙面などに黒点を中心に同心円を描いた標的は、撃ち抜かれ破損することで、その都度、消耗品として使い捨てにされていることや、交換しなければならず、細かい屑なども出るため、片付けに手間が掛かり、面倒なものであり、紙などの資源も勿体無いといえる。
【００１１】
また、球技用のボールの的としては、特許文献４第３０６３８０４号公報のように、外枠の中をいくつかの内枠で仕切り、その内枠に番号の付いたボードを取り付け、ボールを当てることでボードを打ち抜く方式の的当て遊具が、幾つか提案されているが、例えば時速１００キロを超える球速の投球がボードを打ち抜いた場合そのボード及びボールは的の近傍に止まるものでは無く、方々に散乱するなどの安全性を考えると、容易に一般家庭で扱える遊具とはいえない。
【先行技術文献】
【特許文献】
【００１２】
【特許文献１】特開平２００６−３３６９８６号公報
【特許文献２】登録実用新案第３１３２９０５号公報
【特許文献３】実開平６−３０６９６号公報
【特許文献４】登録実用新案第３０６３８０４号公報
【発明の概要】
【発明が解決しようとする課題】
【００１３】
そこで、本発明は簡易な構成で球体を確実に捕捉することで、遊戯銃の球形弾丸や球技用のボールの飛散の防止ができる的（まと）である捕捉器により解決するものである。
【課題を解決するための手段】
【００１４】
具体的には、下記の方法により、上記課題を解決する。
（１) 球技又は遊戯で投打又は発射された球体の的である捕捉器において、前記球体の飛来方向を前記捕捉器の前方として、前方側に前記球体の直径未満の間隔にて並列して張り渡された複数本の線状体により構成された球体通過面を有するとともに、前記球体通過面の後方側に球体衝突面を有しており、前記球体衝突面に向かって放たれた前記球体が、前記球体通過面に衝突することにより、前記線状体を撓らせながら、前記間隔を押し広げて前記球体通過面を通過し、前記球体衝突面に衝突し、前記球体通過面の前記球体が通過した部位の前記間隔が元に戻ることにより、前記球体が前記球体通過面の前方部に脱出することを阻止して前記球体を前記球体衝突面と前記球体通過面との間に捕捉することを特徴とした捕捉器により、上記課題を解決する。
【００１５】
（２）前記球体衝突面に、緩衝部材から成る衝撃緩衝部を備えたことを特徴とする（１）記載の捕捉器により、上記課題を解決する。
【００１６】
（３）前記球体通過面と球体衝突面を当接又は前記球体の直径未満の距離内に近接した位置に設置し、前記球体通過面を通過した前記球体を、前記球体衝突面と前記球体通過面との間に挟み捕捉することを特徴とする（１）又は（２）に記載の捕捉器により、上記課題を解決する。
【００１７】
（４）前記球体通過面を複数層重畳的に設けたことを特徴とする（１）乃至（３）に記載の捕捉器により、上記課題を解決する。
【００１８】
（５）複数層設けられた前記球体通過面は、各々の線状体の材質又は／及び太さ又は／及び張力の何れか又は全てを違いにしている事を特徴とする（４）に記載の捕捉器により、上記課題を解決する。
【００１９】
（６）複数層設けられた前記球体通過面が、前記球体通過面に対して略直角方向の線状体により、互いに連結されたことを特徴とする（４）又は（５）に記載の捕捉器により、上記課題を解決する。
【００２０】
（７）前記球体通過面と前記球体衝突面を配置する間隔を変更する調節機構を設けたことを特徴とする（１）乃至（５）に記載の捕捉器により、上記課題を解決する。
【００２１】
（８）少なくとも一面に開口部を有する容器の開口部に前記球体通過面を設け、容器内に前記球体衝突面を設けたことを特徴とする（１）乃至（７）に記載の捕捉器により、上記課題を解決する。
【００２２】
（９）遊戯銃から発射された球形弾丸を捕捉することを目的とした（１）乃至（８）に記載の捕捉器により、上記課題を解決する。
【００２３】
（１０）投打された球技用のボールを捕捉することを目的とした（１）乃至（８）に記載の捕捉器により、上記課題を解決する。
【発明の効果】
【００２４】
本発明は、運動エネルギーを持ち飛来した球体を、線状体から成る球体通過面を通過させることで、捕捉器内に取り込み、捕捉器内部で球体の運動エネルギーを放出及び消失させることで、前記球体を捕捉器内に捕捉する事が出来る。
【図面の簡単な説明】
【００２５】
【図１】球体通過面２と球体衝突面３を有した捕捉器の斜視図
【図２】球体通過面２と衝撃緩衝部５を有した捕捉器の斜視図
【図３】球体通過面２と衝撃緩衝部５が当接又は近接した捕捉器の斜視図
【図４】複数の球体通過面２を設置した捕捉器の斜視図
【図５】複数の球体通過面２と衝撃緩衝部５が当接又は近接した捕捉器の断面図および斜視図
【図６】運動エネルギーを消失させる捕捉器の断面図
【図７】複数の球体通過面２を有した捕捉器の断面図
【図８】複数の球体通過面２が容器の前方側に設置された捕捉器の断面図
【図９】球体通過面２の構成の図
【図１０】衝撃緩衝部５の構成の図
【図１１】球体８の通過動作を説明する図
【図１２】（図２）に記載の捕捉器による捕捉動作を説明する図
【図１３】（図３）に記載の捕捉器による捕捉動作を説明する図
【図１４】上記捕捉器による捕捉動作を説明する図
【図１５】箱状の「的」に構成した捕捉器の図
【図１６】球体通過面ｖ，ｗの説明の図
【図１７】受動的に動く構成の捕捉器の図
【図１８】卓球ボールの捕捉器の図
【図１９】野球のボールの捕捉器の図
【図２０】ゴルフボールの捕捉器の図
【図２１】硬球の捕捉動作を説明する図
【図２２】連結線状体７を用いた捕捉動作を説明する図
【図２３】球体通過面２のボールの通過動作を説明する図
【図２４】複数の球体通過面２による捕捉動作を説明する図
【図２５】衝立型の捕捉器を説明する図
【図２６】機械的な形式の捕捉器を説明する図
【図２７】調節機構を説明する図
【図２８】壁掛型の捕捉器を説明する図
【図２９】スクリーン形式の捕捉器を説明する図
【図３０】球体通過面２の構成を説明する図
【図３１】吊る形式の捕捉器を説明する図
【図３２】スクリーン形式の捕捉器の使用例を説明する図
【図３３】スクリーン形式の捕捉器の使用例を説明する図
【発明を実施するための形態】
【００２６】
本発明の捕捉器は、球技又は遊戯で投打又は発射された球体を捕捉することを目的とした、的（まと）である。（図１）において、球体８は遊戯銃から発射された弾丸や、球技や遊戯での使用により投打されたボールであり、本捕捉器が捕捉する対象物である。
【００２７】
本発明に係る捕捉器の形状は、運動エネルギーを与えられた球体８が飛来する方向に向かって前方側に球体通過面２を有し、後方側に球体衝突面３を有する事で、前記球体通過面２と前記球体衝突面３との間に球体８を止める事及び留める事ができるものである。
【００２８】
（図１）に記載の捕捉器１は、立方体の形状をした容器である。球体８の飛来方向を、容器の前方側として説明すると、容器前方側の一面に開口部Ｋを有した容器は、その開口部Ｋに線状体６から成る球体通過面２を有し、容器内部の後方側に球体衝突面３を有している。前記球体通過面２と前記球体衝突面３の間の空間部をＶとする。容器の周囲は捕捉された球体が、外部にこぼれない壁１Ａで囲まれた構成である。
【００２９】
捕捉器１を構成する容器の材質は、捕捉を対象とした球体８が飛来して接触した際に、そのエネルギーにより破損しない強度があるものが好ましい。捕捉の対象とする球体８に合わせてスチール、アルミ、セラミック、プラスチック、木枠など様々の素材が使用できる。
【００３０】
球体通過面２の構成を（図９）により説明すると、外側が設置枠４であり、その端縁４Ａから対面する方向に複数の線状体６が張り渡された面である。線状体６と線状体６の隙間Ｈが捕捉の対象とする球体８の直径未満の間隔に並列配列されている。設置枠４の端縁４Ａと線状体６で形成されている隙間Ｈも、捕捉の対象とする球体８の直径未満で形成されている。
【００３１】
上記球体通過面２は、球体８が通過する際に線状体６と接触する事で起こる摩擦により、球体８の威力（球速及び運動エネルギー、）を弱める減速装置である。このとき飛来する球体８に起こる回転（スピン）を軽減する効果もある。
【００３２】
更に、上記球体通過面２は、捕捉器内に進入した球体８が外部に脱出する事を阻止する脱出防止装置となる。
【００３３】
減速装置並び脱出防止装置である球体通過面２を構成する線状体６の材質は、球体の衝撃を繰り返し受ける為、捕捉の対象とする球体８の種類、素材により、通過時に起こる摩擦などを考慮して選定されるが、耐磨耗性などの耐久性にすぐれたものが良く、天然繊維又は化学繊維からできる糸や、撚糸、などが使用できる。捕捉の対象とする球体８の種類や、与えられる運動エネルギーの大きさを考慮して選定することが好ましい。
【００３４】
球体通過面２を構成する設置枠４の材質は、線状体６を張るため、穴を開けることや溝を彫るなどの加工が可能であり、線状体６の張力により過度の変形を抑制でき、球体８の衝突により破損しないものが好ましく、スチール、アルミ、セラミック、プラスチック、木枠など様々の素材が使用できる。
【００３５】
（図２）に記載の捕捉器１は、（図１）で述べた容器内部の後方側に有する球体衝突面３に衝撃緩衝部５を備えた構成である。この場合、衝撃緩衝部５は球体衝突面３となる。これにより運動エネルギーを持ち飛来した球体が、減速装置である球体通過面２を通過した後に、衝撃緩衝部５に衝突することで、そのエネルギーを効率よく放出、消失させることを目的とするものである。
【００３６】
衝撃緩衝部５の構成を（図１０）で説明すると、内部に球体の衝撃を吸収する緩衝材９を有し、その外部を革や布などで覆った緩衝材外面１０として、飛来した球体８を受ける面を緩衝材外面１０Ａとしたものである。
【００３７】
衝撃緩衝部５を構成する緩衝材９の材質は、球体８の衝突による衝撃力を十分に和らげる事ができる低反発性の素材が良く、例えば天然又は化学素材からできる綿状、粒状、スポンジ状、ゲル状の物質等を使用する事が好ましい。その外側を構成する緩衝材外面１０の材質は、球体８の繰り返しの衝突により破損や磨耗が起こりにくい丈夫な素材が好ましく、球体８が衝突した際に十分に沈む軟らかさがあることを考慮して、天然又は化学素材で出来た目の細かい布状のものや革状のものを使用する。
【００３８】
衝撃緩衝部５を構成する材質を選定するにあたり、飛行球体の運動を妨げ抵抗する力は摩擦であるので、球体８が良く食い込み、球体８の面を包み込む様に凹む柔らかな材質で構成することが好ましい。
【００３９】
例えば、緩衝材９は球体８が衝突したことで、良く凹み反発の起こり難い、化学繊維からできた綿にして、緩衝材外面１０は天然革や人工革が加工されたもので、ムートン状の物を使用し、その毛並みを球体８の直径より短く刈り込んだものを使用すると、衝突時に緩衝材外面１０Ａは球体を包み込む様になる。その結果として、球体の運動エネルギーが放出され、消失する。
【００４０】
また、一部の捕捉器の衝撃緩衝部５は、内部をエアーマット状の構成にすることや球体を通さない目の細かなネットや、布などを垂れ幕状に設置しても球体の衝突時に、その運動エネルギーを放出させる事が出来る。
【００４１】
（図３）に示した捕捉器１は、上述した容器に設置された球体通過面２と衝撃緩衝部５を、触れ合う位置（この位置を当接とする）に設置するか、球体の直径未満の距離内の近接位置に設置する構成の捕捉器である。
【００４２】
以上の（図１）（図２）（図３）を基本的な構成とした捕捉器により、以下、球体８の捕捉について説明する。
【００４３】
運動エネルギーを与えられ、飛来する球体８には、質量の小さな遊戯銃の弾丸であるＢＢ弾や、これに比べ質量の大きい野球のボールなどがあり、また、捕捉器に衝突するその衝撃により、球体の外面が一時的に変形し易いものと、し難いボールなどの様々な球体がある。
【００４４】
それらの様々な球体８を捕捉する構成について説明するにあたり、球体８が多種類であるため、捕捉の対象とする球体８を、小さな球体の、遊戯銃の弾丸をＢＢ弾８Ａとする。前記８Ａに比較して寸法および質量が大きい野球の硬球を硬球８Ｂとする。更に、本捕捉器を説明する上で登場するボールを卓球ボール８Ｃ、ゴルフボール８Ｄとして、その他の野球の軟球や、テニスボール、ソフトボールそして、玩具であるカラーボールや模倣球技用ボール等など様々な、質の違った球体をボール８Ｅとする。
【００４５】
８Ａ乃至８Ｅの捕捉について、以下実施例により説明する。
【００４６】
まず、実施する形態を遊戯銃の弾丸のＢＢ弾８Ａを捕捉の対象とする事により、本発明の捕捉器の基本的な構成による、球体の捕捉について説明する。
【００４７】
対象とするＢＢ弾８Ａは、主にプラスチック製の直径６ｍｍと８ｍｍの球形弾丸があり、６ｍｍのＢＢ弾が多く流通している。重量も０．１２ｇ・０．２０ｇ・０．２５ｇ・０．３０ｇなど質量の違う物が生産されている。
【００４８】
そして、遊戯銃はエアソフトガン、モデルガン、その他の銀玉鉄砲などの３種に区別されている。この中で弾丸を発射することができるものはエアソフトガンと銀玉鉄砲である。
【００４９】
銀玉鉄砲の弾速は弱く、純粋に子供向けの玩具とみなされている。エアソフトガンのなかで１０歳以上を対象とした遊戯銃は、青少年育成条例により、発射されたＢＢ弾の運動エネルギー値が、直径６ｍｍのＢＢ弾の場合、単位面積あたり０．１３５Ｊ（ジュール）以下と設定されている。しかし、エアソフトガンであっても１８歳以上を対象にしたものは改正銃刀法により０．９８９Ｊ以下に基準が定められている。
【００５０】
前記０．９８９ＪのＢＢ弾の速度は直径６ｍｍ、重量０．２０ｇのＢＢ弾の場合、約９９メートル毎秒となる。
【００５１】
上述した、子供向けのものから、１８歳以上を対象とする遊戯銃より放たれたＢＢ弾を捕捉する構成について、実施例により説明する事とする。
【実施例１】
【００５２】
(図１)に記載した捕捉器１は、遊戯銃から放たれたＢＢ弾８Ａの飛来方向である容器の前方側の開口部Ｋを球体通過面２で塞ぎ、ＢＢ弾８Ａが容器内に進入して衝突する容器の後方側を球体衝突面３とし、球体通過面２と球体衝突面３の間を空間部Ｖとした構成である。
【００５３】
球体通過面２を（図９）により説明する。球体通過面２は、設置枠４に複数の線状体６を張り、その設置間隔をＢＢ弾８Ａの直径６ｍｍに対して、２ｍｍ〜５ｍｍ程度の隙間Ｈを空け並行配列されたものである。設置枠４の端縁４Ａと線状体６の隙間Ｈも、ＢＢ弾８Ａの直径未満に構成されたものである。
【００５４】
球体通過面２は、遊戯銃から与えられるＢＢ弾８Ａの運動エネルギーに合わせて、ＢＢ弾８Ａが通過出来るように、隙間Ｈの間隔幅や設置枠４に線状体６を張る力を考慮して、構成することが好ましい。
【００５５】
設置枠４の材質は、線状体６を張るため穴を開けることや、プレスするなどの加工ができ、ＢＢ弾８Ａが接触した際にそのエネルギーにより破損しない強度と、線状体６を張る力により過度の変形が起こらない強度がある事が好ましく、例として軽金属のアルミの枠とする。
【００５６】
線状体６の材質は、ＢＢ弾８Ａの繰り返しの衝撃による磨耗や破損の少ない丈夫さを考慮して選定する事が好ましく、例として、釣り等で使用するテグスのナイロン糸10号、直径約０．５２ｍｍのものを使用する。
【００５７】
上述した（図１）に示した構成の捕捉器１が、ＢＢ弾８Ａの捕捉する動作につき（図１１）を用いて説明する。
【００５８】
（図１１）は、球体８が球体通過面２を通過する過程を示している。
（図１１Ａ）に表すように、運動エネルギーを持ち飛来したＢＢ弾８Ａが球体通過面２に衝突する事で、（図１１Ｂ）に表すように、球体通過面２を形成する線状体６はＢＢ弾８Ａの衝突するエネルギーにより、ＢＢ弾８Ａの球体面に沿って撓り、隙間Ｈは押し広げられ、ＢＢ弾８Ａは球体通過面２を通り抜ける。このときに線状体６と接触する事で起こる摩擦により、ＢＢ弾８Ａは減速され容器の内部に進入する。略同時に（図１１Ｃ）に表すように、線状体６の撓りは元に戻り、前記隙間ＨはＢＢ弾８Ａの直径未満に戻る事で、ＢＢ弾８Ａが容器内に進入した経路を塞ぐ。
【００５９】
一方で、容器内部に進入したＢＢ弾８Ａは、容器内の後方側の球体衝突面３に衝突することで、進入した時に比べ、運動エネルギーを弱めて跳ね返るが、容器内から球体通過面２に衝突しても、線状体６の張力から成る抵抗によって容器外へ脱出する事は出来ない。球体通過面２により行く手を阻まれたＢＢ弾８Ａは容器内の空間部Ｖに留まり捕捉される構成である。
【００６０】
上述した構成の捕捉器１でＢＢ弾８Ａを捕捉するためには、ＢＢ弾８Ａが球体通過面２を通過する際に減速するほか、容器内後方側の球体衝突面３に衝突することで、運動エネルギーを放出させ、容器内部で消失させることが重要であるため、その方式を（図６）により説明する。
【００６１】
（図６）に示したものは、捕捉器１を側方から見た断面図を表している。（図６Ａ）に表したように、容器前方側の球体通過面２と容器後方側の球体衝突面３の設置距離Ｎが近いと、ＢＢ弾８Ａが球体衝突面３に衝突して跳ね返った後の運動エネルギーにより球体通過面２を逆に通過して容器外部に脱出することが考えられる。
【００６２】
したがって、（図６Ｂ）に表すように、前記球体通過面２と球体衝突面３の設置距離Ｎを離して設置することで、空間部Ｖの奥行きによる距離を長くして、球体衝突面３に衝突して球体通過面２方向へ跳ね返るＢＢ弾８Ａの運動エネルギーを、空間部Ｖ内の移動中に弱めて、球体通過面２により脱出を防止する構成にするものである。
【００６３】
（図６Ｃ）に表した捕捉器１は、容器の後方側の球体衝突面３の設置角度を変え、球体衝突面３に衝突したＢＢ弾８Ａが、球体通過面２の方向に直に跳ね返ることを防ぎ、空間部Ｖにおいてエネルギーを消失させ捕捉するものである。（図６Ｄ）に表したように、設置角度Ｌを鋭角に設置したものと、（図６Ｃ）のように設置角度Ｌを鈍角に設置したものではＢＢ弾８Ａの跳ね返る角度が違うことから、対象とする遊技銃の機能に合わせて設置角度Ｌを設置することが好ましい。
【００６４】
また、上述した捕捉器１の構成に加えて、容器前方側に設置する（図９）に示した、球体通過面２の線状体６を配列する間隔幅から出来る隙間Ｈと、線状体６を張る力の加減も、ＢＢ弾８Ａの運動エネルギーの消失に関係するため、対象とする遊技銃の機能に合わせて構成とすることが好ましい。
【００６５】
この構成の捕捉器は、球体衝突面３に衝突するエネルギーにより、プラスチック製のＢＢ弾８Ａが破損する事の無い、比較的、威力の弱い子供向け玩具銃を対象とする捕捉器に好ましい。
【実施例２】
【００６６】
（図２）に記載の捕捉器１は（図１）に記載の捕捉器１の容器後方側の球体衝突面３に衝撃緩衝部５を備えた構成のものでる。前記構成にする事により、実施例１で詳述したように、球体通過面２を通過し容器内に進入したＢＢ弾８Ａが、衝撃緩衝部５に衝突することで、ＢＢ弾８Ａの運動エネルギーを効率よく消失させる構成である。
【００６７】
（図１２）により（図２）に例示する捕捉器１によって球体が捕捉される模様を説明する。（図１２Ａ）に表すように、ＢＢ弾８Ａは球体通過面２を通過した後に、容器の後方側の衝撃緩衝部５に衝突して衝撃緩衝部５から球体通過面２の方向へ跳ね返る。前記衝撃緩衝部５にＢＢ弾８Ａが衝突した模様を（図１２Ｂ）により説明する。
【００６８】
（図１２Ｂ）に示したものは、ＢＢ弾８Ａが衝撃緩衝部５に衝突した模様を表している。ＢＢ弾８Ａは衝撃緩衝部５に衝突することによりエネルギーを放出して威力を弱め、容器内部において降下する。しかしながら、遊戯銃の種類や射撃距離の違い、又は衝撃緩衝部５の材質や構成等により衝撃緩衝部５から球体通過面２方向へＢＢ弾８Ａは撥ね返るが、容器内に進入する時に比べエネルギーはかなり弱くなっているため、容器内部で球体通過面２に衝突に衝突しても、（図１２Ａ）に表すように、線状体６の張力から起こる抗力により行く手を阻まれ、容器外部、つまり球体通過面２の前方部に脱出すること無く捕捉器１内部の空間部Ｖに留まり捕捉となる構成である。
【００６９】
上記空間部ＶにＢＢ弾８Ａを留め捕捉する捕捉器１を構成する衝撃緩衝部５を（図１０）を用いて説明する。緩衝材９の材質は化学繊維の綿とし、緩衝材外面１０の材質は、革を使用して、革の裏面が、緩衝材外面１０Ａと成るようにして、緩衝材９を覆ったもので、厚さは１０〜３０ｍｍ程度とすることが好ましい。
【００７０】
この捕捉器１の衝撃緩衝部５の材質は、緩衝材９は柔らかく衝撃により良く沈む素材が好ましく、天然繊維又は化学繊維からできる綿、合成樹脂でできた粒上物質やスポンジ状のものなどから選定することが好ましい。
緩衝材外面１０は、ＢＢ弾８Ａの衝撃により貫通しない、目の細かい天然繊維や化学繊維で出来た布などを使用する事が好ましく、繰り返しＢＢ弾８Ａが衝突することで、破損しない耐久性を考慮する必要がある。
【００７１】
容器内部でＢＢ弾８Ａの運動エネルギーを消失させる工夫として、球体通過面２と衝撃緩衝部５の間の空間部Ｖの広さを変えたり、衝撃緩衝部５の設置角度Ｌにより、跳ね返る方向を変えたり、（図９）に示した、球体通過面２を成す線状体６の張力と、線状体６と線状体６の隙間Ｈの間隔幅を変えることで、威力の違う遊戯銃や射撃距離などから起こるＢＢ弾８Ａの運動エネルギーの差に対応するものである。
【００７２】
なお、上記ＢＢ弾８Ａを容器内部に留め捕捉する的においては、容の形状等により、衝撃緩衝部５は、例えば、サッカーのゴールネットの様に、球体が貫通しないネットや布などを、垂幕状に容器内に設置しても、ＢＢ弾８Ａのエネルギーは放出できる。
【実施例３】
【００７３】
（図３）は、上述した容器に設置した球体通過面２と衝撃緩衝部５が、当接又は近接位置に設置された捕捉器１を表している。この構成の捕捉器１は、（図１），（図２）の捕捉器と違い空間部Ｖを有さない構成の（図１５Ａ）に表すような、前後奥行きの浅い形の捕捉器１を構成する事が出来る。
【００７４】
この捕捉器１に、ＢＢ弾８Ａが飛来して、球体通過面２を通過し、衝撃緩衝部５に衝突する。当該捕捉器１はその衝撃で出来る凹変形部と球体通過面２を成す線状体６の間に挟み、ＢＢ弾８Ａを衝撃緩衝部５の球体衝突位置に止めることができ、命中位置の確認が出来る構成である。
【００７５】
（図３）に示した、捕捉器１によるＢＢ弾８Ａが捕捉される模様を、(図１３）の捕捉器１を側方から見た断面図を用いて説明する。
【００７６】
（図１３Ａ）に表したものは、実施例１，２で詳述のように、ＢＢ弾８Ａが球体通過面２を通過し、捕捉器１の中に進入し、当接する衝撃緩衝部５に衝突した模様である。
【００７７】
飛来したＢＢ弾８Ａは、線状体６を撓らせて、（図１３Ｂ）に表すように、当接位置の衝撃緩衝部５に衝突して、このことで起こる衝撃緩衝部５の凹変形部位において動きが止まる。これは、緩衝材９によって、運動エネルギーを放出し、緩衝材外面１０Ａに包み込まれるようにＢＢ弾８Ａが沈み、エネルギーを消失するものである。
【００７８】
これと略同時に線状体６は撓り戻り原状へ回復し、押し広げられた隙間Ｈは狭まり、凹変形部に居るＢＢ弾８Ａを球体通過方向の後方部より押さえこむことにより、（図１３Ｃ）に表すように、衝撃緩衝部５と球体通過面２を成す線状体６に挟み、衝突部位に止める。
【００７９】
この構成は、衝撃緩衝部５の衝突部位においてＢＢ弾８Ａの運動エネルギーを放出及び消失することが好ましいため、緩衝材９は柔らかく、衝撃により良く沈む素材が良く、天然又は人口の繊維から出来た綿などから選定することが好ましい。緩衝材外面１０の素材は、耐久性のある、天然又は人工の革のムートン様の毛を、ＢＢ弾８Ａの直径以下の長さに短く刈り込んだものを使用することで、衝突時に、緩衝材外面１０ＡはＢＢ弾８Ａを包み込む様になることで、反発し難い。
【００８０】
この衝撃緩衝部５が球体通過面２と当接する捕捉器１の構成を、更に詳述すると（図１３Ｂ）で表すように、ＢＢ弾８Ａが衝撃緩衝部５に衝突した際にエネルギーを放出することと、硬い物体であるＢＢ弾８Ａの面が、衝撃緩衝部５の柔らかい面に食い込むことにより生じる摩擦により、ＢＢ弾８Ａの運動エネルギーを消失させることで、球体の動きを止めるもので、球体の運動を妨げ、抵抗する力は摩擦であり、ＢＢ弾８Ａと緩衝材外面１０Ａとが接する表面積を大きくすることで、摩擦力が大きくなるため、ＢＢ弾８Ａのエネルギーを消失することができ、ＢＢ弾８Ａは衝突部位である凹変形部に一時的に止まる。
【００８１】
これと略同時に（図１３Ｃ）に表したように、線状体６は撓り戻り、一時的に止まったＢＢ弾８Ａを球体通過方向後方部より押さえ込み、その後に起こるＢＢ弾８Ａの動きを止める。ＢＢ弾８Ａは、衝撃緩衝部５と球体通過面２を成す線状体６から受ける圧力により起こる相互作用により、衝突部位である凹変形部で捕捉となる。
【００８２】
この構成の捕捉器１は、衝撃緩衝部５と、球体通過面２を成す線状体６の張力、線状体６間の隙間Ｈの幅を変更することで、様々な遊戯銃に対応する捕捉器ができる。衝突位置にＢＢ弾８Ａを止めることができ、命中位置の確認が出来る(図１５Ａ）に表した箱状の的ができるものである。
【００８３】
（図１４）に表した捕捉器１の断面図により、衝撃緩衝部５と球体通過面２が、近接位置に設置された場合を説明すると（図１４Ａ）に表したように、ＢＢ弾８Ａが衝突した後に、衝撃緩衝部５に圧されることで、球体通過面２を成す線状体６に挟まれる事で、衝突部位に止まるため、衝撃緩衝部５と球体通過面２の設置距離Ｎは、ＢＢ弾８Ａの直径未満で半径程度の距離に設置する構成が好ましい。
【００８４】
そして、球体通過面２を成す、線状体６の向きは、ＢＢ弾８Ａのような質量の小さな球体で有れば、縦方向でも可能ではある。しかしながら、球体の静止エネルギーを止め、落下を防ぐには（図１４Ｂ）のように、線状体６の向きが、水平に成るように設置することが好ましい。
【００８５】
この衝撃緩衝部５と球体通過面２が、近接する構成の捕捉器１は、ＢＢ弾８Ａに与えるエネルギーでは衝撃緩衝面を十分に凹ませる力の比較的弱い、背少年育成条例により規制されている、１０歳以上を対象とした遊戯銃の的に好ましいといえる。
【００８６】
以上、(図３）に示した捕捉器１を構成するにあたり、ＢＢ弾８Ａの持つ、運動エネルギーの大きさと、それを受ける衝撃緩衝部５の材質などにより球体の捕捉される位置が変わる事を考慮する。球体通過面２を成す線状体６は、ＢＢ弾８Ａが衝突することで、球体進行方向にも撓り、衝撃緩衝部５の緩衝材外面１０Ａとの接触も起こるため、この摩擦も考慮して、当接や近接位置に設置することが好ましい。
【００８７】
尚、上記、実施例により説明した（図１）（図２）の構成により、容器内の空間部Ｖに捕捉されたＢＢ弾８Ａは、容器の壁１Ａに取出し口を設置することで取り出せる。一方（図３）の構成の捕捉器は(図１５Ａ）に表すように、空間部を持たない浅い箱状の捕捉器１となるため、（図１５Ｂ）に表すように、衝突位置に止まったＢＢ弾８Ａを衝撃緩衝部５の後方から球体通過面２の方向に圧すことで球体通過面２の前方部、つまり容器外部へ簡単に取り出す事ができる。
【００８８】
一方、１８歳以上を対象にした遊戯銃のエアソフトガンは、フロンガスやグリーンガスの圧縮ガスを利用するガスガンや、電動機械装置で連続的に空気を圧縮する電動ガンなどがある。電動ガンにおいては、コッキング動作をモーター駆動で行う事により、フルオート射撃という連射ができる。連射速度も秒間１５発程度と十分に速く、銃にＢＢ弾を供給するマガジンには２００〜６００発もしくはそれ以上が収められる物もある。
【００８９】
直径６ｍｍ重量０．２０ｇのＢＢ弾の場合、与えられる運動エネルギー値が、改正銃刀法により０．９８９Ｊ以下である。しかし、弾の速度は９８〜９９メートル毎秒という速度となり、その威力は至近距離で厚さ５ｍｍ程度の段ボールを撃つと、貫通するほど強いものである。この大きなエネルギーを持った大量のＢＢ弾８Ａを受ける捕捉器には、更なる構成が必要である。
【００９０】
実施例４により、１８歳以上を対象にした遊戯銃から発射される的とした捕捉器の構成と特徴を説明する。
【実施例４】
【００９１】
（図４）における捕捉器１は、前記記載の(図１),(図２),(図３)で示した構成の球体通過面２を、容器の内部に複数の層に重畳的に設置することで、容器内に進入したＢＢ弾８Ａの運動エネルギーを減少させ、容器内で跳ね返ったＢＢ弾８Ａのエネルギーを消失させる構成である。
【００９２】
上記複数の層に設置する球体通過面２を成す線状体７の向きは、前記記載の(図１)(図２)に示した、ＢＢ弾８Ａを容器内の空間部Ｖに捕捉し留める構成の捕捉器の場合どの方向を向いていても、ＢＢ弾８Ａの通過には差し支え無い。
【００９３】
また、使用する線状体が有色な材質であれば、これにより構成される球体通過面２の面は、カラフルなものになることから、デザイン的にも良い構成となる。
【００９４】
(図４)に表した捕捉器１において、ＢＢ弾８Ａの捕捉について説明をする上で、容器の内部に複数の層に設置された球体通過面２を、ＢＢ弾８Ａが、飛来して、通過する順番に、球体通過面２a,２ｂ,２ｃ，・・・と、して球体通過面２の設置する距離を設置距離Ｍとして説明する。
【００９５】
（図７）に表したものは、複数の層の球体通過面２を容器内に設置して、(図４)の構成の球体衝突面３に衝撃緩衝部５を備えた構成の捕捉器１である。この捕捉器１によるＢＢ弾８Ａの捕捉の模様を（図７Ａ）で説明する。
【００９６】
（図７Ａ）に表した模様は、１８歳以上を対象とした遊戯銃から発射されたエネルギーの強いＢＢ弾８Ａが飛来して、容器前方側に設置された球体通過面２ａを通過して容器内に進入し、容器内部に設置された球体通過面２ｂ、２ｃ・・・の順番に、通過を繰り返すことで、線状体６との間に起こる摩擦により、そのエネルギーを徐々に弱めて往き、容器後方側部の衝撃緩衝部５に衝突して跳ね返る。この時点でＢＢ弾８Ａの運動エネルギーは、相当に消失しているため、球体通過面２を成す線状体６の張力から起こる抗力により行く手を阻まれ、エネルギーを失い捕捉される。
【００９７】
（図７Ｂ）に表したものは、エネルギーの比較的弱い遊戯銃のＢＢ弾８Ａが、球体通過面２ａを通過して、容器内に進入し、容器内部に設置された球体通過面２ｂ、２ｃ・・・により運動エネルギーを消失して、何れかの設置間隔Ｍの間か、設置距離Ｎの間の空間部Ｖで捕捉となった模様である。
【００９８】
このように、球体通過面２を容器内に複数の層に設置することで、ＢＢ弾８Ａの運動エネルギーは、容器内部で確実に消失できる。その結果として、力の弱い銃から強い銃まで様々な遊戯銃に対応できる捕捉器が構成できるものである。
【００９９】
尚、前記捕捉器１の場合、容器内部に設置する球体通過面２ｂ、２ｃ・・・などは（図７Ｃ）に表すように、設置枠４の隅を少し開けて、ＢＢ弾８Ａが容器内を移動できる構成にするか、容器の壁１Ａを加工してＢＢ弾８Ａが移動できるような構成にすることでＢＢ弾８Ａは取り出しやすくなる。
【０１００】
（図８）に表したものは、複数の球体通過面２が、容器の前方側に集中して設置された構成の捕捉器１を側方から見た断面図である。（図８Ａ）に表したように、容器内の空間部Ｖを大きくして、球体衝突面３又は衝撃緩衝部５から跳ね返ったＢＢ弾８Ａのエネルギーを弱め、容器内に多数のＢＢ弾８Ａを捕捉できるため、電動ガンの連射による数百発のＢＢ弾８Ａも捕捉可能である。
【０１０１】
また、(図８Ｂ)に表したものは、上記の構成の捕捉器１の空間部Ｖを更に広く設けて、ここに標的となる物体Ｘを置くことが可能な捕捉器１である。物体Ｘを組立式の構造物にして、これを標的として撃つと、図に表したように物体Ｘ及びＢＢ弾８Ａは共に外部に飛散することが無いため、屋内においては部屋を散らかすことがない。
【０１０２】
屋外において、空き缶などを標的にして撃つことがあるが、高速度で標的に当たった弾は予期しない方向に跳ね返ることがあり、周囲に危険を及ぼすこともある。また飛び散ったＢＢ弾８Ａは寸法が６ｍｍと小さい事もあり回収は困難といえる。そこで、上記捕捉器１を用いて物物体Ｘを空き缶などの標的物とする。射撃によるＢＢ弾８Ａは容器内部で跳ね、外部に飛散しないことで屋内外を問わず射撃を楽しむことができる。
【実施例５】
【０１０３】
(図５)に示したものは、実施例３で述べた（図３）の構成の捕捉器の球体通過面２が複数の層に、衝撃緩衝部５の前方の当接から近接位置に設置された構成の捕捉器１を表している。
【０１０４】
(図５Ａ)に表したものは、捕捉器１を側方から見た断面図である。飛来したＢＢ弾８Ａが捕捉器１に進入することで、実施例３で詳述したように、強いエネルギーを持ち飛来したＢＢ弾８Ａは(図５Ｂ)に表したように、衝撃緩衝部５にできる凹みと当接位置の球体通過面２を成す線状体６の間に挟まれ静止する。比較的弱いエネルギーを持ち飛来したＢＢ弾８Ａは(図５Ｃ)に表したように、複数層に設置された球体通過面２を成す線状体６の間に挟まれ捕捉される構成の的である。
【０１０５】
この構成による、複数の層に設置する球体通過面２は、線状体６の間でＢＢ弾８Ａを挟むことで、球体を止める構成も含まれるため、ＢＢ弾８Ａの落下を防ぐように、線状体６の向きを、水平方向に設置することが好ましい。
【０１０６】
（図５Ｄ）に表したものは、この構成の捕捉器１にＢＢ弾８Ａが捕捉された模様である。この球体通過面２を複数の層に設置する構成にすることで、様々の遊戯銃より発射されるＢＢ弾８Ａの運動エネルギーを受け止め、衝突位置に８Ａを止めることで、命中地点の確認ができる的ができるもので、衝撃緩衝部５の緩衝材外面１０Ａに、絵や、模様を書くことにより、目標を定めることができ、銃の照準器や、ライフル型銃のスコープなどの調整に使用する的に好ましい。
【実施例６】
【０１０７】
（図１６）に表したものは、球体通過面２を形成する線状体６を、一つの設置枠４の中に、複数使用して構成したものである。（図１６Ａ）に表したものは、一つの設置枠４の中に球体通過面２を形成する線状体６を、縦方向と横方向に格子状に見えるように設置した球体通過面２ｖである。
【０１０８】
球体通過面２ｖは、縦方向に張られた線状体６と横方向の線状体６が交差している事で、線状体６を一方向に配列した球体通過面２に比べて、飛来したＢＢ弾８Ａが通過する際に抵抗が大きくなり、ＢＢ弾８Ａのエネルギーを減衰させる効果と、容器内で撥ね返ったＢＢ弾８Ａが外部に脱出することを防止する効果を大きくする事ができる構成である。
【０１０９】
（図１６Ｂ）に表したものは、線状体６が複数本となっている球体通過面２ｗである。
【０１１０】
図１６Ｂに示す球体通過面２ｗを側方から見た断面図（図１６Ｃ）により説明すると、球体通過面２を構成する線状体６が３本の線状体６ａ，６ｂ，６ｃにより構成されている模様を表したものである。
【０１１１】
この球体通過面２ｗにＢＢ弾８Ａが衝突すると、複数本束ねた状態に張った線状体６が撓り動くため、線状体間の接触により起こる摩擦や８Ａとの接触により起こる摩擦は、線状体が１本の場合よりも大きくなるため、飛来したＢＢ弾８Ａの運動エネルギーを減衰させる効果や捕捉器内に侵入したＢＢ弾８Ａの脱出防止効果も上げられる。
【０１１２】
前記球体通過面２ｖ，２ｗを用いた捕捉器１は、弾速が１００メートル毎秒に近いエネルギーを持ち、１０秒間に約１５０発もの大量のＢＢ弾８Ａを発射する、連射機能を備えた電動ガン等による、屋内における狭い空間で発射された弾を受ける的に好ましい。
【実施例７】
【０１１３】
上記、実施例１乃至６で述べた、捕捉器１を用いて、（図１７）に表した様な、転倒式（図１７Ａ）や回転式（図１７Ｂ）などの捕捉器ができる。前記捕捉器はＢＢ弾８Ａが衝突した際に動くことで、固定された捕捉器に比べ、球体衝突部からの反発が少ないため（図１７Ａ）に表すような簡素な小さな捕捉器の構成にできる。また（図１７Ｃ）のように、捕捉器１を上部から吊るすことで、ゴンドラの様にして機械仕掛けで動かすことで、クレーン射撃の標的などにすることができる。
【０１１４】
ＢＢ弾８Ａが衝突した衝撃により、その力で容器が可動する構成のものは、捕捉器の大きさ、重さ、容器を立てる脚部などを考慮することで、前述した実施例１，乃至３で述べた構成でも、大きなエネルギーを与る事のできる遊戯銃にも対応する的が出来るものである。
【０１１５】
以上実施例１乃至７で述べた構成を同じとして、球技用のボールを捕捉することにより、ボールの捕捉による的当てゲームや、ボールの回収器を以下に提案する。
【実施例８】
【０１１６】
（実施例１及び実施例２で述べた図１），（図２）の構成の捕捉器による使用例を、（図１８）で説明する。卓球の練習器具に、卓球ボール８Ｃを自動的に発射する機械が現存する。この機械をマシーンＧとして説明すると（図１８Ａ）に表すように、マシーンＧを相手にボールを打ち返すことで、卓球ボール８ＣはマシーンＧの周囲に散乱する事や、マシーンＧに当たり、跳ね返り、卓球台の上に散乱する事が考えられる。
【０１１７】
そのマシーンＧに、（図１８Ｂ）に表すように、（図１）（図２）の構成の捕捉器１を設置する。マシーンＧから発射された卓球ボール８Ｃを打ち返すと、卓球ボール８Ｃは容器内に捕捉されるため、練習の邪魔にならず、ボールの回収も容易となる。
【０１１８】
また、野球やソフトのボールなどの投球を受ける的とした捕捉器を説明する。（図１９）に表したものは、投球を受けるキャチャーの守備範囲に合わせて捕捉器１を置いた模様である。（図１９Ａ）に表したものは、守備範囲に合わせて、捕捉器１を１６室に小分けして設置した構成である。この捕捉器１により簡単は、投球のストライク、アウトの判断や、ボールの通過ゾーンの確認が出来るものである。
【０１１９】
（図１９Ｂ）に表したものは、捕捉器１の球体通過面２を縦２ａ、横２ｂと、二層に設置したものである。この構成の捕捉器１でボールを捕捉して飛散を防止することは元より、ボールが球体通過面２を通過することで、必ず線状体６に接触することを利用して（図１９Ｃ）に表すように、球体通過面２を成す、其々の線状体６にボールが接触することで反応するセンサー機能を付けた装置とする。
【０１２０】
この装置により、（図１９Ｃ）に示すように、球体通過面２を成す夫々の線状体６に記号を付け説明する。飛来した硬球８Ｂが図に表したように、[縦ｄ・ｅ][横４・５]の線状体６に触れる所を通過すると、センサーが反応する事で通過コースを表示させる事も可能となる。その結果として、通過地点の確認ができる装置付の捕捉器となる。
【実施例９】
【０１２１】
（図２０）に表したものは、ゴルフボール８Ｄの捕捉器として、ピッチングウエッヂなどのアプローチにより、放物線状に飛行してきたゴルフボール８Ｄを、受ける的である。（図２０Ａ）のように捕捉器１を斜めに置くことで、捕捉器１内に侵入したゴルフのボール８Ｄを、競技者の方向へ返す構成の捕捉器１である。
【０１２２】
（図２０Ｂ）に表したものは、捕捉器１内部の衝撃緩衝部５と球体通過面２を当接又は近接させた構成の捕捉器１を床面に置き、アプローチによるゴルフボール８Ｄを落下地点に止めることが出来るため、屋内で練習をすることが出来るものである。
【０１２３】
また、捕捉器１内の空間部Ｖに捕捉された、球技用のボール等は、容器内部で一箇所に集める工夫を施せば、電気仕掛けでリーターンさせる事も可能であり、投げたボールを手元に返す器具などもでき便利である。
【０１２４】
以上のように、球体８を捕捉器内の空間部Ｖに止める構成のものであれば、様々な球技のボールを捕捉できる上、捕捉動作に付随してコース確認を行うなど、更に利便性を向上させることができる。
【０１２５】
一方で、野球で使用する硬球８Ｂの場合、ＢＢ弾８Ａは直径６ｍｍ・重さ０．２ｇであるのに対して、直径、約７３ｍｍ・重さ約１４５ｇであることから、ＢＢ弾８Ａより、はるかに質量が大きいため、運動エネルギーを効率よく消失することが必要である。また、衝突位置に硬球８Ｂを止めるには、質量も大きいため静止エネルギーによる落下を防ぐ必要がある。
【０１２６】
また、ボールの中には、飛来して衝突することでボール自体に変形を起こす、柔らかなボールもある。たとえば、野球の軟球やテニスの硬式ボール、軟式ボールのような様々なボール８Ｅがある。夫々に違いのあるボールを、衝突位置に止める為には、球体通過面２の配置や、球体通過面２を形成する線状体６の加工などが必要となるため、その構成を野球の硬球８Ｂを捕捉する中で説明する。
【０１２７】
尚、以上で述べた実施例の説明の中で、球体８を捕捉する基本的な構成は、詳述してあるため、以下、実施例１０乃至１２による説明は、球体を衝突位置に止めるための球体通過面２の使用例による構成の説明とする。
【０１２８】
以下の、実施例１０乃至１２の捕捉器は、複数の層の球体通過面２を使用する構成であることから、球体８である各種のボールを、衝突位置に止める事を目的とした捕捉器であるため、説明上、複数の層に設置される球体通過面２を、球体の通過方向から順番に球体通過面２ａ，２ｂ，２ｃ・・・とすることで説明する。
【実施例１０】
【０１２９】
例として、野球の硬球８Ｂの捕捉器を（図３）の構成により説明すると、容器と球体通過面２を形成する設置枠４の材質を木製とし、球体通過面２を形成する線状体６はナイロン糸の３０号、直径約０．９１ｍｍを使用して、硬球８Ｂの直径は約７３ｍｍに対して、隙間Ｈの間隔幅を３０ｍｍ〜６０ｍｍ程度として球体通過面２を形成することが好ましい。
【０１３０】
衝撃緩衝部５の構成は、飛球の運動を妨げ抵抗する力は摩擦であり、摩擦力は面間に働く圧力が関係することを考慮して、緩衝材９が、硬球８Ｂが衝突したことで、良く凹み、硬球８Ｂが緩衝材外面に良く食い込み、緩衝材外面１０が、硬球８Ｂの面を包み込む様な、柔らかな材質で構成することが好ましい。
【０１３１】
（図２１）は、上記（図３）の構成の捕捉器を、実施例５で詳述した（図５）の構成の捕捉器を基本として、その捕捉器の内部を、ＢＢ弾８Ａに比べ質量の大きい野球の硬球８Ｂを捕捉する構成に変えたものである。
【０１３２】
上記硬球８Ｂは、大きさ、直径約７３ｍｍ、重さ約１４５ｇであ。この質量を支えるために、衝撃緩衝部５の前方に複数の層に球体通過面２を設置したもので、複数の層に配置した球体通過面２の設置間隔Ｍを１０ｍｍ程度にして、線状体６の向きを水平方向に設置した模様を表している。
【０１３３】
（図２１Ａ）に表したものは、硬球８Ｂが球体通過面２ａを通過して容器内に進入して、球体通過面２ｂ，２ｃ・・・の順に通過を繰り返し、運動エネルギーを徐々に弱めて往く模様である。
【０１３４】
（図２１Ｂ）に表したものは、硬球８Ｂが衝撃緩衝部５に衝突して、その運動エネルギーを放出して、進行方向に働く運動エネルギーを失い動きが止まり捕捉された模様である。（図２１Ｃ）は、衝撃緩衝部５に食い込まないエネルギーの硬球８Ｂの捕捉の模様である。複数の球体通過面２を成す、水平方向に設置された線状体６が、硬球８Ｂを挟み、捕捉したもので、硬球８Ｂの下の複数の線状体６が、硬球８Ｂの静止エネルギーによる落下を防ぐ構成である。
【０１３５】
（図２１Ｅ）に表したものは、球体通過面２を形成する線状体６の向きを、球体通過面２ａは垂直、球体通過面２ｂは水平、２ｃを垂直方向２は・・・と、交互に設置された構成のものである。このような構成にしても、球体にかかる抵抗は大きくなるが、ボールは通過する。
【０１３６】
その模様を前方から見ると（図２１Ｄ）に表すような状態で、球体通過面２の間に挟まれ、線状体６と硬球８Ｂの相互作用により止まり捕捉となる。
【０１３７】
この構成の捕捉器１は、ボールの質量を考慮して、球体通過面２の設置間隔Ｍを狭くして、球体通過面２の設置数を増やすことや、ボールの直径に対して、線状体６の向きを水平方向に数本設置するようにすることで、球体の落下を防ぎ、球体を到達位置に止めるものである。
【実施例１１】
【０１３８】
（図２２）に表したものは、（図２１）に示した、捕捉器１内部の複数の層に設置する球体通過面２を、硬球８Ｂの半径程度の間隔を開けて配置したものである。前記複数の層に設置した球体通過面２を成す線状体６を新たな線状体である連結線状体７を用いて連結した構成の捕捉器である。
【０１３９】
（図２２Ａ）により上記構成を説明すると、球体通過面２を形成する線状体６の向きを水平方向にして、球体通過面２ａ，２ｂ，２ｃ，２ｄ，・・・と、複数の層に設置された球体通過面２を、硬球８Ｂの直径約７３ｍｍに対して、設置間隔Ｍを３０ｍｍ〜４０ｍｍ程に設置して、球体通過面２ａを成す線状体６と、球体通過面２ｂを成す線状体６、更に２ｃの線状体６・・・と、設置間隔Ｍの間を、連結線状体７で連結したものである。
【０１４０】
連結線状体７は、球体通過面２に対して略直角になるように、各球体通過面２の線状体６を連結して行くと、（図２２Ｂ）に表すように線状体６と連結された連結線状体７によって、枡目状に成るように構成したものである。
【０１４１】
この構成による硬球８Ｂの捕捉の模様を（図２２）により説明すると（図２２Ａ）に表したように、球体通過面２ａに硬球８Ｂが飛来して衝突すると（図２２Ｂ）に表したように、球体通過面２ａの線状体６は硬球８Ｂにより押し広げられ球体通過面２を通過して進み、この時点で硬球８Ｂは容器内に進入したことになる。
【０１４２】
この状態から（図２２Ｃ）のように、更に球体通過面２ｂの線状体６を押し拡げて進んで往く、これを繰り返すことで、硬球８Ｂは減速して往き更に上記（図２１Ｂ）に表した様に、容器後方側に設置した衝撃緩衝部５に衝突してエネルギーを放出する。硬球８Ｂはその威力の大きさによっては衝撃緩衝部５から撥ね返るが、エネルギーが弱まっているため、球体通過面２を逆に通過することでエネルギーを消失して（図２２Ｄ）に表すように、球体通過面２を成す線状体６と連結線状体７の間で止まる構成である。
【０１４３】
上記構成による連結線状体７の役割は、質量が大きい硬球８Ｂが、球体通過面と球体通過面の間で挟まれた場合、硬球８Ｂの重さにより、
ボールを挟んでいる下方の線状体６が広がり、硬球８Ｂが落下する事や硬球８Ｂの重さで、線状体６が撓み硬球８Ｂが横に転がり移動することを防止するものである。
【０１４４】
（図２３）に表したものは、（図２２）に示した球体通過面２を構成する線状体６の向きを、球体通過面２ａは垂直、球体通過面２ｂは水平、２ｃを垂直方向・・・と、交互に設置したものである。
【０１４５】
このような構成にしても、球体通過面２の面に対して直角になるように連結線状体７で連結しても、硬球８Ｂの進入方向は、塞がれることは無いため、飛来した硬球８Ｂは捕捉器内部へと進入する事で捕捉できる構成である。
【０１４６】
前記構成による捕捉器内において、球体通過面２を硬球８Ｂが通過する模様を（図２３）を用いて説明すると、（図２３Ａ）に表すように、最前面に設置された球体通過面２ａを通過して、次に（図２３Ｂ）のように球体通過面２ｂを通過し、（図２３Ｃ）に表したように球体通過面２ｃと、順に複数の層に設置した球体通過面２を通過して往く。その後は（図２２）を用いて説明した事と同様に捕捉となる構成である。
【０１４７】
なお、線状体６と連結線状体７は同一部材で構成し一体にしても構わないが、
連結線状体７は、球体通過面２を球体８が通過するに伴い、線状体６の撓みにより動き、固定の仕方によっては、連結された線状体６と互いに引き合うために、きつく張るか、緩めて張るかは、球体に与える抵抗を考慮して設置することが好ましい。
【０１４８】
以上において硬球８Ｂ等のように外面が硬い球体８を捕捉する構成を説明したが、球体８には外面の質が柔らかなボール８Ｅ等がある。硬球８Ｂのように外面の硬い球体は飛来して球体通過面２に衝突した際に球体自体の変形は少なく線状体６を撓らせ捕捉器の内部へ侵入できるが、テニスボールの特に軟式のボール等の様な質の柔らかなボール８Ｅは球体通過面２に衝突する事で、球体自体に変形が起こり反発するため硬球８Ｂ等を捕捉する構成の球体通過面２では線状体６の張力によって撥ね返され捕捉器の内部に侵入する事が出来ない事態となる。
【０１４９】
以下、実施例１２において柔らかなボール８Ｅを捕捉する構成を説明する。
【実施例１２】
【０１５０】
（図２４）に示したものは、柔らかなボール８Ｅを捕捉する事を容易にする構成の捕捉器１を側方から見た断面図である。（図２４Ａ）により説明すると、線状体６の張力や、太さ、材質を夫々変えた構成の球体通過面２を夫々、球体通過面２ａ，２ｂ，２ｃ，２ｄ・・・として、捕捉器１の内部に複数の層に重畳的に設置する構成のものを表している。
【０１５１】
上記構成の一例を説明すると、球体の飛来方向最前面に設置する球体通過面２ａを成す線状体６の素材に柔らかなボール８Ｅが衝突した際にボール自体に変形を起こす事の無いゴム紐を使用する事で、柔らかなボール８Ｅを捕捉器１の内部へ進入し易くする。次に衝突する球体通過面２ｂの素材も、柔らかなボール８Ｅを通過し易い物とする。更に球体通過面２ｃの素材も通過し易い物とする事で、球体通過面２ａ＜２ｂ＜２ｃ＜２ｄ・・・と、球体が進む方向に向かい抵抗を徐々に大きくして行く構成である。例えば、球体通過面２ａの素材はゴム紐、球体通過面２ｃはナイロン素材のテグス、球体通過面２ｃはフロロカーボン素材のテグス、球体通過面２ｄは金属製の細いワイヤー等・・・とする事やその張力を変える事で、柔らかなボール８Ｅを挟み捕捉する物である。
【０１５２】
上記捕捉器１による柔らかなボール８Ｅの捕捉の模様を説明する。（図２４Ｂ）に表すように、球体通過面２ａを弱い抵抗にする事で、柔らかなボール８Ｅは通過し易くなり、容易に捕捉器内に進入することになる。
【０１５３】
捕捉器内に進入した球体８は、（図２４Ｃ）に表すように、球体通過面２ｂを通過することで、エネルギーを弱め、（図２４Ｄ）に表すように、更に抵抗を強くした構成の２ｃ，２ｄと進むに従い、強い抗力を受けることで運動エネルギーを消失し、（図２４Ｅ）に表すように、球体通過面２ｄの線状体６と球体通過面２ｅの線状体６との間に挟まれ、柔らかなボール８Ｅと線状体６の間に起こる相互作用により静止することで捕捉となる構成である。
【０１５４】
上記捕捉器１は、（図２４Ｅ）に表した様に、柔らかなボール８Ｅを、球体通過面２を構成する線状体６により四方から押さえ込み捕捉する構成で有る為に、線状体６が四方から柔らかなボール８Ｅに接触する距離に設置する事が好ましい。
【０１５５】
以上の実施例１０乃至１２で述べた構成であれば、球体通過面２の構成を球体８の、質に合わせて変更することにより、衝突することでボール自体に変形の起こるボール８Ｅなども、球体通過面２の到達位置に捕捉することができる事で命中位置の確認ができる遊具となる。
【０１５６】
以上の球体８を捕捉する的である捕捉器を構成する球体通過面２は線状体６を直接容器の壁１Ａに設置する構成もあり、この場合、容器は球体８の運動エネルギーにより破損しない強度と、壁１Ａは線状体６を張るための加工ができ、線状体の張力による過度の変形を抑制できる強度のあることが好ましい。
【０１５７】
また、上述した捕捉器は、立体的な形であれば、幾何学的な形状の他、動物や植物などのデザイン的な要素を加味した様々な形態が考えられ、容器内部の球体衝突面、衝撃緩衝部に押されて反応するスイッチを設置する事によりライトが点灯するものや、音を発声する射的遊具ができるものである。
【０１５８】
以上実施例１乃至１２により、様々の球体の捕捉について述べてきたが、以下、実施例１３においては実施例３で説明した捕捉器の応用例として、特に遊戯銃の的として最適なものを説明する。
【実施例１３】
【０１５９】
遊戯銃から放たれたＢＢ弾８Ａは、捕捉器に衝突すると、実施例３で説明した図３に表した捕捉器の構成により、球体通過面２と衝撃緩衝部５の当接から近接の位置内に鋏まれ（図１３）及び（図１４）に表したように球体衝突位置に止まる。
【０１６０】
このＢＢ弾８Ａは（図１５Ｂ）に示した様に、衝撃緩衝部５の後方から手指で押すことで取り出せる。しかしながら、其の都度ＢＢ弾８Ａを取り出す事は面倒であり便利なものとはいえない。したがって面倒な手間を軽減しＢＢ弾８Ａを取り出す方式を以下に説明する。
【０１６１】
（図２５）に示したものは衝立型に構成した捕捉器１の外形と右側方から見た断面を表している。（図２５Ａ）に表したものは実施例３において詳述した球体通過面２と衝撃緩衝部５が、当接又は近接した位置に配置された捕捉器１の下部に捕捉器の転倒を防ぐ為の足と成る部位を設け、衝立型に構成した物である。前記足と成る部位をトレーｅとする。前記トレーｅは、捕捉したＢＢ弾８Ａを集めることができる空間を有する。
【０１６２】
遊戯銃から発射されたＢＢ弾８Ａは、実施例３で詳述したように、（図２５Ａ）に示した球体通過面２と衝撃緩衝部５の間で挟まれ止る。この部位にあるＢＢ弾８Ａは、（図２５Ｂ）に表すように、球体通過面２を上方に開くか、（図２５C）に表すように、左右どちらかに開く事でＢＢ弾８Ａは捕捉器１の下方へ落下して、トレーｅの中へ溜まる。
【０１６３】
上述した様に球体通過面２を片開きする事で、衝突位置に止まったＢＢ弾８Ａを一度に全て取り除く事ができる。その後、球体通過面２を元の位置に戻すことで、繰り返し命中位置の確認が出来る方式である。
【０１６４】
前記方式は、衝撃緩衝部５を開く方式でも可能であり、手動又は電動により機械的に動かすことができる。また、トレーｅの底部を斜面にする事でＢＢ弾８Ａを一方向に集める事が出来るためＢＢ弾８Ａの回収も楽である。
【０１６５】
また上記機械的に動かす捕捉器の一例として、モーターを使用して電動形式により球体通過面２と衝撃緩衝部５の間を平行移動させることで、衝突部位に止まったＢＢ弾８Aを取り除く方式について（図２６）を用いて説明する。
【０１６６】
（図２６）に示したものは、モーターｍとネジｇを使用して、球体通過面２と衝撃緩衝部５の間を平行移動させるための方式を表している。（図２６Ａ）に表すようにネジｇは、ナットｎを回転しない状態にして、ボルトｖを正転方向に回す事で閉まって行き、逆転する事で開いて行く事を利用して、
（図２６Ｂ）に示すように、球体通過面２の枠外にボルトｖの螺旋状のネジ山が通過するナットｎと同様の穴を設けボルトｖを貫通させる。ボルトｖの先端は衝撃緩衝部５の外枠に当たり貫通する事の無い構成にする。モーターｍによりボルトｖを正転、逆転させると図に表すように球体通過面２と衝撃緩衝部５の間が開いたり閉じたりする構成である。
【０１６７】
（図２６Ｃ）に示したものは、上記構成により球体通過面２と衝撃緩衝部５の間にＢＢ弾８Ａが挟まり捕捉された状態の捕捉器１の断面を表している。モーターｍとボルトｖは捕捉器１の下方部に設けたトレーｅの中に設置することが出来る。
【０１６８】
（図２６Ｄ）に表すように、捕捉されたＢＢ弾８Ａは球体通過面２と衝撃緩衝部５の間ｈをＢＢ弾８Ａの直径以上に開くことで捕捉器１の下方へ落下してトレーｅの中へ集まる方式である。
【０１６９】
上記方式による球体通過面２と衝撃緩衝部５の間ｈを特にＢＢ弾８Ａの直径以内において微調整する事で、遊戯銃から発射されるＢＢ弾８Ａを適確に止めるための調節機構となる。
【０１７０】
その調節機構の使用例を（図２７）により説明する。１８歳以上を対象とした威力の強い遊戯銃ａにより約１メートルの至近距離から発射されたＢＢ弾８Ａは（図２７Ａ）に示すように、衝撃緩衝部５に深く食い込むため、その反発を抑えるため球体通過面２は衝撃緩衝部５に当接した位置にする事が好ましい。しかし、同遊戯銃ａで約１０メートル離れた位置から発射した場合、至近距離から発射されたＢＢ弾８Ａに比べ弾速が落ちる事から衝撃緩衝部５への食い込みも浅くなる。その場合(図２７Ｂ)に表すように球体通過面２と衝撃緩衝部５の間ｈをＢＢ弾８Ａの直径以内の近接位置に広げる事で、ＢＢ弾８Aは球体通過面２と衝撃緩衝部５の間に挟まれて止まる様に調節できる。
【０１７１】
上述した様に、球体通過面２と衝撃緩衝部５の間ｈを広げたり狭めたりする調節機構を備える事で、夫々の遊戯銃の持つ能力や、飛距離の違いなどから起こる、捕捉器に到達する飛弾のエネルギーの差に合わせて調節ができる事で、的確にＢＢ弾８Ａを命中位置に止める事ができる。
【０１７２】
更に（図２７Ｃ）に表すように、球体通過面２と衝撃緩衝部５の間ｈを、ＢＢ弾８Ａの直径以上に大きく広げることで、実施例４で詳述した（図８）に表したような捕捉器となり、球体通過面２と衝撃緩衝部５の間ｈの空間にＢＢ弾８Aを留める捕捉器１になる。
【０１７３】
また上記構成の捕捉器１は、（図２８Ａ）に表すような壁掛型の捕捉器１にする事も出来る。
【０１７４】
上記壁掛型の捕捉器１は(図２８Ｂ)に表すように、前述したモーターｍを使用する方式や、クランクｋを回す方式で、連動したネジを動かし球体通過面２と衝撃緩衝部５の間ｈの間隔を調節できる捕捉器１となる。そのほか（図２８Ｃ）に表すように、モーターｍやクランクｋを使用して、球体通過面２と衝撃緩衝部５の間を片開きする事で、挟まれて止まったＢＢ弾８Ａを取り除く事ができる。
【０１７５】
更に、モーターｍを使用する方式の捕捉器１に、リモートコントロール機構を装備する事で、射撃位置から移動する事無く、調節機構を操作する事や、球体通過面２と衝撃緩衝部５の間に挟まったＢＢ弾８Aを取り除く事が手元で出来る。
【０１７６】
従来から或る的の様に、紙面などを撃ち抜く事で付いた弾痕により命中位置の確認をするものとは違い消耗品を出す事も無い。また、周囲へのＢＢ弾の飛散も無い事で後片付けも簡単であり、安全に効率よく遊戯銃で射撃を楽しむ事ができる的となる。
【０１７７】
実施例１乃至１３においては箱状の容器で構成された捕捉器について説明したが、実施例１4ではスクリーン形式に構成する捕捉器により、ＢＢ弾８Ａの飛散を防止する方式について説明する。
【実施例１４】
【０１７８】
上記実施例１乃至１３において説明した捕捉器１は、球体通過面２及び球体衝突面３が箱状に一体となったものである。しかし、スクリーン形式の捕捉器１は球体通過面２及び球体衝突面３である衝撃緩衝部５が夫々独立した構成となる。
【０１７９】
（図２９）に示したものが、スクリーン形式の捕捉器１１の外形を表したものである。前記スクリーン形式の捕捉器１の構成には、（図２９Ａ）に示すような、床に衝立状に構成した球体通過面２と衝撃緩衝部５を置く形式のものや、（図２９Ｂ）に示すような、スクリーン状に構成した球体通過面２と衝撃緩衝部５を上方から吊る形式のものがある。
【０１８０】
まず（図２９Ａ）に示した、置く形式の捕捉器１を説明すると、縦、約１２０センチ、横、約１２０センチの衝立状に構成した衝撃緩衝部５を床面に立てて設置して、球体通過面２をその前方に間隔を置いて衝立状に置く形式である。
【０１８１】
前記衝立状に置く形式の球体通過面２は（図２９Ａ）に表すように、四方が設置枠４で囲まれており、実施例１において詳述した様に構成される。
【０１８２】
（図３０）に示したものは、前記球体通過面２を構成する線状体６の張り渡された方向を表している。（図３０Ａ）に表すように、縦方向に張ったもの、これを（図３０B）に表すように横方向に設置する物や縦横に組み合わせる事で（図３０C）に表すような格子状と、するもの（図３０D）に表す様に、斜めに並行配列したものを交互に組合わせて（図３０Ｅ）の様に、網目状にしたものなどとなる。
【０１８３】
上記球体通過面２は前述したように、飛弾が通過する際の減速装置であり、通過したＢＢ弾を逆に通過させない脱出防止装置と成るため、前記組合わせや、設置する線状体６の張力を遊戯銃の種類や使用する環境などを考慮して加減する事が好ましい。
【０１８４】
次に、（図２９Ｂ）により、スクリーン状に構成した球体通過面２と衝撃緩衝部５を上方から吊る形式の捕捉器１について説明する。前記球体通過面２は（図２９Ｂ）に表したように、上方と下方の二方向に設置枠４が有り、この上、下方向の設置枠４に線状体６を張り渡した方式のものである。
【０１８５】
上記吊る方式の捕捉器１を構成する球体通過面２を(図３１)により説明する。吊る方式の球体通過面２は上方の設置枠４を壁や天井などに固定し、スダレ状に下方に垂らして球体通過面２を構成する線状体６に張力を与える構成である。その構成には、（図３１Ａ）に表すように、下方の設置枠４に錘ｑを吊り、この錘ｑの重さを変える事で、線状体６の張力を加減する方式や、（図３１Ｂ）に表すような、下方の設置枠４を紐ｐで床に固定する時に床方向への締め付ける力を加減する事で線状体６の張力を加減する方式である。
【０１８６】
また、（図３１Ｃ）に表すようなロールスクリーン形式にする事で、下方の設置枠４を固定して、上方の設置枠４をスクリーン巻上機構ｒとする事で、球体通過面２を構成する線状体６を巻き上げる力を調節出来る方式とする。前記方式により上方に巻き上げる力を調節する事で線状体６の張力を加減するものである。
【０１８７】
前記吊る形式の球体通過面２を構成する下方の設置枠４の材質は、線状体６に満遍なく張力を与えるため柔軟性がある事と飛弾により破損しない強度を備えたものが好ましく、例えば強化プラスチックや硬質ゴム等が考えられる。また設置枠４をチューブ状にして内部に砂鉄など入れ、錘ｑとすることで線状体６に与える張力を加減する構成もある。
【０１８８】
上述したスクリーン形式に構成した捕捉器１の衝撃緩衝部５は、置く形式及び吊る形式の捕捉器１共に、実施例２において詳述した構成のものや、上方の設置枠４から下方向に垂れ幕状に布やＢＢ弾８Ａが貫通しない目の細かなネットを垂らして、幕状に構成したものである。その素材は、ＢＢ弾８０Ａが衝突した際にそのエネルギーを十分吸収でき反発の少ないものを使用して、飛弾のエネルギーにより破損しない強度と耐久性を備えたものが好ましく、天然又は化学繊維で出来たものを使用する事ができる。
【０１８９】
上述した球体通過面２と衝撃緩衝部５を使用してスクリーン形式に構成した捕捉器１の使用例を（図３２）により説明する。（図３２Ａ）に表す様に、衝撃緩衝部５の前方に球体通過面２を、間隔を置いて設置して、下方の床面に撃たれて落下したターゲットｕとＢＢ弾８Ａの受け皿と成るトレーｅを置く。前記衝撃緩衝部５の表面に、(図３２Ｂ)に表すような棚ｔを、面ファスナー等で設置出来る様に構成し、脱着可能なものとする。棚ｔには、コインや小物を標的（ターゲット）ｕとして置くことができる。
【０１９０】
棚ｔの素材も飛弾の衝撃を吸収でき、破損しないものを使用する事が好ましい。
【０１９１】
（図３２Ｃ）に表す様に、球体通過面２と衝撃緩衝部５の間隔ｓの周囲は、ＢＢ弾８Ａが通過出来ない細かな網や破損しない各種繊維から出来るシートｃで被う事で、ＢＢ弾８Ａ及び撃ち弾かれたターゲットｕの飛散は防止できる。
【０１９２】
また、上述した方式の一部品である球体通過面２は、（図３３Ａ）に示すように、一般のカーテンｋを衝撃緩衝部５として利用する事ができる。カーテンｋの前方に間隔ｓを置き衝撃緩衝部５を設置して、下方の床面にトレーｅを置く事で、簡易的な射撃空間を造る事が出来る。
【０１９３】
従来からある遊戯銃の的は箱型の物が多く、その大きさは数十センチ程度の物である。しかし、上述したスクリーン形式の捕捉器１の構成にする事で、箱型の容器を有する的に比べ簡素な構成で大きな捕捉器１にする事ができる。例えば（図３３Ｂ）に表わす様な趣味の部屋を創造した場合、部屋の壁ｚにスクリーン形式の捕捉器１を設置する事で、壁面に大きな射撃空間を造る事が出来る。（図３３Ｃ）に表すように、捕捉器１の内部の空間ｉに市販されている各種のターゲット、例えば、撃たれ倒れた標的が起き上がるターゲットや、組み立てブロック形式のターゲット等を置く事や、鈴を上方から吊るして標的にするなど様々な物体をターゲットｕとして置くことができ独自の射的場になる。また空間ｉの広さを活かして（図３３Ｄ）に表すように、前記空間ｉの中にコインｘなどを転がす仕組みを施せば、転がり動くコインｘを撃ち落とす事で、クレーン射撃の様なゲームなどもＢＢ弾８Ａを飛散させる事無く出来る。
【符号の説明】
【０１９４】
１    捕捉器を形成する容器
１Ａ  容器の壁
２    捕捉器を形成する球体通過面
（球体が通過する順番に容器の前方から２ａ，２b・・と、する）    
３    球体衝突面
４    設置枠
４Ａ  設置枠４の端縁
５    衝撃緩衝部
６    線状体
７    連結線状体
８    球体
８Ａ  ＢＢ弾
８Ｂ  野球の硬球
８Ｃ  卓球ボール
８Ｄ  ゴルフボール
８Ｅ  その他のボール（野球の軟球、テニスボール、ソフトボール、玩具のカラーボール、模倣球技用ボール、質の柔らかいボールなど）
９      緩衝材
１０    緩衝材外面
１０Ａ  緩衝材外面の球体８を受ける面
【図１】
2011015956.tif 000003
【図２】
2011015956.tif 000004
【図３】
2011015956.tif 000005
【図４】
2011015956.tif 000006
【図５】
2011015956.tif 000007
【図６】
2011015956.tif 000008
【図７】
2011015956.tif 000009
【図８】
2011015956.tif 000010
【図９】
2011015956.tif 000011
【図１０】
2011015956.tif 000012
【図１１】
2011015956.tif 000013
【図１２】
2011015956.tif 000014
【図１３】
2011015956.tif 000015
【図１４】
2011015956.tif 000016
【図１５】
2011015956.tif 000017
【図１６】
2011015956.tif 000018
【図１７】
2011015956.tif 000019
【図１８】
2011015956.tif 000020
【図１９】
2011015956.tif 000021
【図２０】
2011015956.tif 000022
【図２１】
2011015956.tif 000023
【図２２】
2011015956.tif 000024
【図２３】
2011015956.tif 000025
【図２４】
2011015956.tif 000026
【図２５】
2011015956.tif 000027
【図２６】
2011015956.tif 000028
【図２７】
2011015956.tif 000029
【図２８】
2011015956.tif 000030
【図２９】
2011015956.tif 000031
【図３０】
2011015956.tif 000032
【図３１】
2011015956.tif 000033
【図３２】
2011015956.tif 000034
【図３３】
2011015956.tif 000035